(57)【要約】【課題】  作業者の怪我を防止し、把持部の着脱を容易にし、遊技機の運搬作業の簡素化を図る。【解決手段】  本発明は、遊技盤５を収容可能な前枠２を保持する遊技機用外枠１であって、上下左右の枠杆２１，２２，２３，２４により方形枠状に形成され、枠杆２１，２２，２３，２４にハンドルケース取付部３０が形成され、ハンドルケース取付部３０にハンドルケース３５が装着可能となっており、ハンドルケース取付部３０はハンドルケース収容部３１とハンドルケース固定部３３とを備え、ハンドルケース３５は、把持可能且つハンドルケース収容部３１に嵌設可能に形成された本体部３６と、ハンドルケース固定部３３に係止可能に形成された爪部４０とを備えていることを特徴とする。【選択図】  図２
2005211417.tif 000002
【特許請求の範囲】
【請求項１】
遊技盤を収容可能な前枠を保持する遊技機用外枠であって、
上下左右の枠杆により方形枠状に形成され、該枠杆にハンドルケース取付部が形成され、該ハンドルケース取付部にハンドルケースが装着可能となっており、
前記ハンドルケース取付部はハンドルケース収容部とハンドルケース固定部とを備え、
前記ハンドルケースは、把持可能且つ前記ハンドルケース収容部に嵌設可能に形成された本体部と、前記ハンドルケース固定部に係止可能に形成された爪部とを備えていることを特徴とする遊技機用外枠。
【請求項２】
前記左右の枠杆に前記ハンドルケース取付部が形成されており、前記ハンドルケース固定部に前記爪部が係脱することにより前記ハンドルケースが前記ハンドルケース取付部に対して着脱可能となっている請求項１に記載の遊技機用外枠。
【発明の詳細な説明】
【技術分野】
【０００１】
本発明は、パチンコ遊技機等の遊技機において、遊技盤を収容可能な前枠を保持する遊技機用外枠に関し、特に、運搬等のための把持部を備えた遊技機用外枠に関する。
【背景技術】
【０００２】
従来、パチンコ遊技機に代表される弾球遊技機等の遊技機では、遊技機全体の固定保持枠として外枠が使用され、外枠は上下左右に設けられた木製の枠扞により方形枠状に形成されている。そして、その外枠には各種の遊技構成部品を装備した前枠が、外枠の正面左側上下に設けられたヒンジ金具により開閉可能に支持されると共に、外枠の正面右側に設けられた施錠装置により閉鎖状態に保持されるようになっている。
【０００３】
このような遊技機を遊技島と呼ばれる枠台に設置する場合には、先ず、遊技機を外枠に装着した状態で遊技島まで運搬する。そして、外枠から遊技機を取り外し、その外枠を枠台に釘打ちにより固定した後、この固定された外枠に再度、遊技機を取り付けている。この場合、遊技機はかなりの重量物であるため、遊技機の運搬作業は特に重労働となる。そこで、従来、外枠の左右の枠杆に把持部を形成し、遊技機の運搬時にその把持部を使用することにより、運搬作業の容易化を図るようにした遊技機用外枠が提案されている（例えば、特許文献１参照）。
【０００４】
【特許文献１】特開２００２−２９２０５９号公報
【発明の開示】
【発明が解決しようとする課題】
【０００５】
しかしながら、上記した従来の遊技機用外枠では、木製の左右の枠扞自体に把持部が形成されており、その把持部に木の切断面が剥き出しになっているため、把持部を把持した時に手に棘が刺さり、作業者が怪我をするおそれがあった。
【０００６】
また、このようなおそれを回避するため、把持部にカバーをつけることも考えられるが、カバーを把持部にしっかり固定しようとした場合には、カバーの装着又は取外し作業に手間が掛かったり、或いは反対に、カバーの着脱作業を容易にしようとした場合には、カバーが把持部にしっかり固定されず、遊技機の運搬中にカバーがずれたり、脱落したりするといった問題があった。
【０００７】
本発明は、上記した課題を解決すべくなされたものであり、作業者の怪我を防止し、把持部の着脱を容易にし、遊技機の運搬作業の簡素化を図ることのできる遊技機用外枠を提供しようとするものである。
【課題を解決するための手段】
【０００８】
本発明は、遊技盤５を収容可能な前枠２を保持する遊技機用外枠１であって、上下左右の枠杆２１，２２，２３，２４により方形枠状に形成され、枠杆２１，２２，２３，２４にハンドルケース取付部３０が形成され、ハンドルケース取付部３０にハンドルケース３５が装着可能となっており、ハンドルケース取付部３０はハンドルケース収容部３１とハンドルケース固定部３３とを備え、ハンドルケース３５は、把持可能且つハンドルケース収容部３１に嵌設可能に形成された本体部３６と、ハンドルケース固定部３３に係止可能に形成された爪部４０とを備えていることを特徴とする。
【０００９】
そして、好ましくは、左右の枠杆２３，２４にハンドルケース取付部３０が形成されており、ハンドルケース固定部３３に爪部４０が係脱することによりハンドルケース３５がハンドルケース取付部３０に対して着脱可能となっている。
【発明の効果】
【００１０】
本発明によれば、枠扞にハンドルケースを装着可能なため、ハンドルケースを把持することにより、運搬等の作業を容易に行うことができる。また、作業者は外枠に手を触れることなく、運搬等の作業を行うことができるため、作業中に作業者が手等を怪我するおそれがない。さらに、ハンドルケースは爪部を介してハンドルケース固定部に係止されるようになっているため、作業中に外枠から脱落するおそれがなく、作業の安全性、効率性を高めることができる。
【００１１】
さらにまた、ハンドルケース固定部に爪部を係脱させることによりハンドルケースを外枠に対して着脱させるようにした場合には、その着脱作業に手間が掛からず、作業の簡素化が図れる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に使用した場合について説明する。
【００１３】
先ず、図１を参照しつつ、パチンコ遊技機の概略構成について説明する。ここで、図１はパチンコ遊技機を示す正面図である。
【００１４】
パチンコ遊技機は、方形枠状に形成され、遊技機全体の固定保持枠となる外枠１と、遊技機の機体となる前枠２とを備えており、前枠２は、外枠１の正面左側（以降、左右方向は正面側から見た方向を言うものとする。）上下に設けられたヒンジ金具３ａ，３ｂにより外枠２に対して開閉可能に取り付けられていると共に、外枠１の右側に設けられた施錠装置４により閉鎖状態に保持されるようになっている。前枠２内には、遊技盤５が収容され、遊技盤５の前面側には、図柄表示装置６、中央飾り７、始動入賞口８、大入賞口９、入賞口１０等の各種遊技部品がそれぞれ配設され、遊技領域１１が形成されている。さらに、遊技領域１１の最下部には、上記各入賞口８，９，１０に入賞せずに落下したアウト球を排出させるアウト口１２が設けられており、アウト口１２に集められたアウト球は遊技盤５の裏面側を通って機外に排出されるようになっている。
【００１５】
前枠２の正面側には、前枠２に対して開閉可能且つ着脱可能にガラス扉１３が設けられ、ガラス扉１３により遊技領域１１の前面側が閉鎖された状態に保持されるようになっている。また、前枠２のガラス扉１３の下方には上球皿１４が、さらにその上球皿１４の下方には下球皿１５がそれぞれ前方に突出して設けられ、上球皿１４には上球皿１４内の遊技球を下球皿１５に排出させるための球抜きレバー１６が設けられている。そして、下球皿１５の右側には発射ハンドル１７が前方に突出して設けられ、発射ハンドル１７を時計回り方向に回動させると、上球皿１４から供給された遊技球が遊技領域１１に送出されるようになっている。さらにまた、遊技盤５上部の左側には球抜き操作孔１８が穿設されている。
【００１６】
次に、図２〜図５を参照しつつ、本発明の第１の実施の形態に係る遊技機用外枠について説明する。ここで、図２（ａ）は本実施の形態に係る遊技機用外枠を示す正面図、図２（ｂ）はその平面図、図２（ｃ）はその側面図、図３は簡略化のため要部のみを示した遊技機用外枠の斜視図、図４はその要部を部分的に示す斜視図、図５（ａ）はその外枠の右側枠扞にハンドルケースを装着する前の状態（外枠からハンドルケースを取り外した状態）を示す断面図、図５（ｂ）はその外枠の左側枠扞にハンドルケースを装着した状態を示す断面図である。
【００１７】
外枠１は、上下左右に方形枠状にそれぞれ連結されたいずれも木製の上側枠杆２１、下側枠杆２２、左側枠杆２３、右側枠杆２４と、左側枠杆２３と右側枠杆２４の各前面側の下端部同士を連結する幕板２５とを主体に構成されており、各枠扞２１，２２，２３，２４の両端部にはそれぞれ隣接する枠扞２１，２２，２３，２４と連結するための係合部２６が形成されている。
【００１８】
上側枠杆２１の左端部上面には、ヒンジ金具４ａを構成するヒンジ部２７が前方突出するように固定され、左側枠杆２３の下部内側面には、ヒンジ金具４ｂを構成するヒンジ部２８が幕板２５の上面に沿って前方に突出するように固定されている。また、上側枠杆２１と右側枠杆２４との連結部の後面にはＬ字状の補強金具２９が固定され、さらに、図示されていないが、上側枠杆２１及び下側枠杆２２には、それぞれ外枠２を遊技島に取り付けるための孔が穿設されている。
【００１９】
また、左側枠杆２３には、中央部よりやや上方にハンドルケース取付部３０が形成されている。ハンドルケース取付部３０は、直方体形状の孔から成るハンドルケース収容部３１と、ハンドルケース収容部３１の上下にそれぞれ穿設され、ハンドルケース収容部３１より小さい扁平な直方体形状の係止片挿入孔３２と、左側枠扞２３の内側面に形成されたハンドルケース固定部３３とから構成されており、ハンドルケース取付部３０の外面側は僅かに内方に凹んで形成されている。
【００２０】
一方、右側枠扞２４にも、左側枠扞２３の場合と同様に、ハンドルケース取付部３０が形成され、ハンドルケース取付部３０には、ハンドルケース収容部３１と係止片挿入孔３２とハンドルケース固定部３３とが形成されている。また、右側枠扞２４の内側面には、施錠装置４を構成する係合片３４が上下２箇所に突設されている。
【００２１】
そして、このように左右の枠扞２３，２４に形成されたハンドルケース取付部３０には、それぞれ、ハンドルケース３５が着脱可能となっている。このハンドルケース３５は、例えば、ＡＢＳ等の樹脂材料製であり、外側から把持し易いように内側に凹状に曲成されていると共にハンドルケース収容部３１に嵌設可能な本体部３６と、本体部３６の上下に形成された外鍔部３７と、外鍔部３７から内方に片持ち梁状に形成された上下一対の係止片３８とから構成されている。係止片３８は係止片挿入孔３２に遊挿可能なように形成されており、係止片挿入孔３２に挿入された状態において係止片挿入孔３２内に隙間３９が形成されるようになっている。また、係止片３８の先端には鏃状の爪部４０が突出して形成されており、爪部４０はハンドルケース固定部３３に係止可能となっている。
【００２２】
次に、主に図５（ａ）及び図５（ｂ）を参照しつつ、本実施の形態に係る外枠１のハンドルケース取付部３０にハンドルケース３５を着脱する手順について説明する。
【００２３】
ハンドルケース取付部３０にハンドルケース３５を装着する場合、先ず、左右いずれか一方の枠扞２３又は２４のハンドルケース取付部３０に本体部３６を嵌設させると共に上下の係止片３８を係止片挿入孔３２に挿入させる。上記したように、係止片３８の先端に爪部４０が突設されており、さらに、係止片挿入孔３２内に隙間３９が形成されているため、各係止片３８は本体部３６側に弾性変形した状態で係止片挿入孔３２内を進み、爪部４０が一方の枠扞２３又は２４の内面側に到達すると、図５（ｂ）に示されているように、係止片３８はその弾性力により元に戻り、爪部４０がハンドルケース固定部３３に係止する。これにより、ハンドルケース３５はハンドルケース取付部３０に装着された状態となる。また、他方の枠扞２３又は２４についても同様にハンドルケース３５をハンドルケース取付部３０に装着することができる。
【００２４】
そして、外枠１及び外枠１に装着された遊技機の運搬或いは据付作業は、このようにハンドルケース３５を左右のハンドルケース取付部３０に装着させた状態で、このハンドルケース３５の本体部３６を把持することにより、容易に行うことができるようになる。また、この作業時に作業者は外枠１に直接、手を触れる必要がないため、木の切断面で作業者が手等を怪我するおそれはない。さらに、ハンドルケース取付部３０の外面側が僅かに内方に凹んで形成されているため、ハンドルケース３５は左右の枠扞２３，２４の外面から突出することなくハンドルケース取付部３０に収容されるので、運搬作業時や遊技島への据付作業時にハンドルケース３５が邪魔になることもない。さらにまた、ハンドルケース３５は、爪部４０がハンドルケース固定部３３に係止することにより、ハンドルケース取付部３０に確実に固定されるので、運搬等の作業中にハンドルケース３５が外枠１からずれたり、脱落したりするおそれもない。
【００２５】
一方、ハンドル取付部３０からハンドルケース３５を取り外す場合には、上下の係止片３８の各爪部４０に対してお互いに近接する方向に力を加える。そうすると、係止片３８が弾性変形し、各爪部４０とハンドルケース固定部３３との係止状態が解除される。そこで、この状態において、ハンドルケース３５を外側に押圧すれば、ハンドルケース３５をハンドルケース取付部３０から容易に取り外すことができる。このように、ハンドルケース３５は、不要な時には、簡単に取り外すことができるので、ハンドルケース３５の材質が外枠１と異なる場合であっても、外枠１のリサイクルを容易に行うことができる。
【００２６】
次に、図６〜図９を参照しつつ、本発明の第２の実施の形態に係る遊技機用外枠について説明する。なお、上記した第１の実施の形態に係る遊技機用外枠と同様の構成については、説明の簡略化のため、図６中、図１〜図５と同一の符号を付し、その構成及び作用に関する詳細な説明は省略する。ここで、図６（ａ）は本実施の形態に係る遊技機用外枠を示す側面図、図６（ｂ）はスペーサ部材を示す内側面図、図７（ａ）は外枠にスペーサ部材を装着する前の状態のハンドルケース取付部と把持部付係合突部を示す断面図、図７（ｂ）は外枠にスペーサ部材を装着した状態のハンドルケース取付部と把持部付係合突部を示す断面図、図８（ａ）は外枠にスペーサ部材を装着する前の状態の係合凹部と係合突部を示す断面図、図８（ｂ）は外枠にスペーサ部材を装着した状態の係合凹部と係合突部を示す断面図、図９はスペーサ部材の把持部付係合突部を示す外側面図である。
【００２７】
一般に、遊技島の設置枠台には、東日本地域で多く採用されている、所謂「関東枠」と、西日本地域で多く採用されている、所謂「関西枠」の２種類があり、その外枠収容部のサイズは、上下方向及び左右方向共に関東枠より関西枠の方が１０ｍｍずつ大きくなっている。そのため、関西枠の設置枠台に外枠１を設置する場合には、外枠１を構成する上下左右の各枠杆２１，２２，２３，２４のうち、上側枠扞２１又は下側枠杆２２、及び左側枠杆２３又は右側枠杆２４にそれぞれスペーサ部材を取り付けることにより、外枠１の外形サイズを大きくするようにしている。
【００２８】
本実施の形態に係る遊技用外枠１では、関東枠と関西枠の両方の設置枠台に対応可能なように、右側枠杆２４の外側面にスペーサ部材４１が着脱可能となっている。そして、右側枠杆２４には、中央部よりやや上方にハンドルケース取付部３０が形成されていると共に中央部よりやや下方に係合凹部４２が形成されている。係合凹部４２には、上記したハンドルケース取付部３０における係止片挿入孔３２及びハンドルケース固定部３３と同様に、それぞれ係止片挿入孔４３、スペーサ部材固定部４４が形成され、外面側は僅かに内方に凹んで形成されているが、ハンドルケース取付部３０とは異なり、ハンドルケース収容部３１は形成されていない。
【００２９】
スペーサ部材４１には、ハンドルケース取付部３０に対応した位置に取付孔４７が穿設され、取付孔４７に把持部付係合突部４５が取り付けられている。把持部付係合突部４５は、例えば、樹脂材料製であり、外側から把持し易いように円筒凹状を成してスペーサ部材４１の内面から突出して形成されている把持部４８と、把持部４８の外側端部において互いに対向する位置に一対で形成された係止鍔部５８と、把持部４８からスペーサ部材４１の内面に沿って上下に形成された外鍔部４９と、外鍔部４９から内方に片持ち梁状に形成された上下一対の係止片５０とから構成されている。そして、把持部付係合突部４５は、係止鍔部５８が係止凹部に係脱することにより、取付孔４７に着脱可能となっており、係止鍔部５８の外側面はスペーサ部材４１の外側面と同一面を形成するようになっている。また、係止片５０は係止片挿入孔３２に遊挿可能なように形成されており、係止片挿入孔３２に挿入された状態において係止片挿入孔３２内に隙間５１が形成されるようになっている。さらに、係止片５０の先端には鏃状に爪部５２が突出して形成されており、爪部５２はハンドルケース固定部３３に係止可能となっている。
【００３０】
また、スペーサ部材４１の係合凹部４２に対応した位置には、係合突部４６が取り付けられており、係合突部４６は、スペーサ部材４１の内面に沿って形成された取付部５３と、取付部５３の上下端部から内方に片持ち梁状に形成された上下一対の係止片５４とから構成され、取付部５３を介してスペーサ部材４１の内面側にネジ止めされている。そして、係止片５４は係止片挿入孔４３に遊挿可能なように形成されており、係止片挿入孔４３に挿入された状態において係止片挿入孔４３内に隙間５５が形成されるようになっている。さらに、係止片５４の先端には鏃状に爪部５６が突出して形成されており、爪部５６はスペーサ部材固定部４４に係止可能となっている。
【００３１】
次に、主に図７〜図９を参照しつつ、本実施の形態に係る外枠１の右側枠杆２４にスペーサ部材４１を着脱する手順について説明する。
【００３２】
右側枠杆２４にスペーサ部材４１を装着する場合、先ず、図９に示すように、係止鍔部５８を横向きにした状態で把持部付係合突部４５をスペーサ部材４１の内面側から取付孔４７内に挿入させた後、回転させ、係止鍔部５８を係止凹部５７に係止させ、把持部付係合突部４５をスペーサ部材４１に仮に固定する。
【００３３】
次に、把持部付係合突起部４５の上下の係止片５０をハンドルケース取付部３０の係止片挿入孔３２に挿入させると共に係合突部４６の上下の係止片５４を係合凹部４２の係止片挿入孔４３に挿入させる。上記したように、各係止片５０，５４の先端にそれぞれ爪部５２，５６が突設されており、さらに、係止片挿入孔３２，４３内に隙間５１，５５が形成されているため、各係止片５０，５４は弾性変形した状態で係止片挿入孔３２，４３内を進み、爪部５２，５６が右側枠扞２４の内面側に到達すると、図７（ｂ）及び図８（ｂ）に示されているように、係止片５０，５４はその弾性力により元に戻り、爪部５２，５６がそれぞれハンドルケース固定部３３、スペーサ部材固定部４４に係止する。これにより、スペーサ部材４１は外側面に把持部４８を備えた状態で右側枠杆２４に装着されると共に、把持部付係合突部４５は回転不能となり、スペーサ部材４１に確実に固定された状態となる。また、左側枠扞２３についても、上記した第１の実施の形態の場合と同様にハンドルケース３５をハンドルケース取付部３０に装着することができる。
【００３４】
したがって、外枠１及び外枠１に装着された遊技機の運搬或いは据付作業は、把持部４８を把持することにより、容易に行うことができる。また、この作業時に作業者は外枠１に直接、手を触れる必要がないため、木の切断面で作業者が手等を怪我するおそれはない。さらに、把持部４８の外面はスペーサ部材４１の外面と同一面を形成するようになっているため、運搬作業時や遊技島への据付作業時に把持部付係合突部４５や係合突部４６が邪魔になることもない。さらにまた、把持部４８は、爪部５２がハンドルケース固定部３３に係止することにより、スペーサ部材４１を介して右側枠杆２４に確実に固定されるので、運搬等の作業中に把持部４８が外枠１からずれたり、脱落したりするおそれもない。さらに、把持部４８はスペーサ部材４１の内面側から突出して形成されているため、右側枠杆２４にスペーサ部材４１を装着した状態では、図７（ｂ）に良く示されているように、把持部４８の突出部分５９が右側枠杆２４のハンドルケース収容部３１内に入り込むようになる。したがって、把持部４８を把持した時に、外枠１又は外枠１及び遊技機の荷重が係止片５０に集中せず、突出部分５９にも分散するため、把持部付係合突部４５が破損したり、折曲したりすることはない。
【００３５】
一方、右側枠杆２４からスペーサ部材４１を取り外す場合には、上下の係止片５０，５４の各爪部５２，５６に対してお互いに近接する方向に力を加える。上記したように係止片挿入孔３２，４３内に隙間５１，５５が形成されているため、係止片５０，５４は弾性変形し、各爪部５２，５６とハンドルケース固定部３３、スペーサ部材固定部４４との各係止状態が解除される。そこで、この状態において、把持部付係合突部４５及び係合突部４６を外側に押圧すれば、スペーサ部材４１を右側枠杆２４から容易に取り外すことができる。このように、スペーサ部材４１は、不要な時には、簡単に取り外すことができるので、スペーサ部材４１や把持部付係合突部４５、係合突部４６の材質が外枠１と異なる場合であっても、外枠１のリサイクルを容易に行うことができる。
【００３６】
このように、上記した第２の実施の形態によれば、ハンドルケース収容部３０には、ハンドルケース３５が着脱可能であると共に、スペーサ部材４１の把持部付係合突部４５が着脱可能となっているため、外枠１を関西枠に設置する場合には、ハンドルケース３５を別個に取り付ける必要がない、したがって、部品点数や製造工数を削減することができ、コストの低減化を図ることができる。
【００３７】
なお、上記した第１及び第２の実施の形態におけるハンドルケース３５、把持部付係合突部４５、係合突部４６の材質、形状、設置位置等は、単なる例示に過ぎず、材質を金属製又は木製としたり、或いは、係止片３８，５０，５４を左右に設けたり、或いは、ハンドルケース３５を上側枠扞２１に着脱可能に設けたりする等、各種変更が可能である。
【００３８】
また、上記した第１及び第２の実施の形態では、本発明をパチンコ遊技機に適用した場合について説明したが、これは単なる例示に過ぎず、本発明は、アレンジボール等の他の弾球遊技機やスロットマシン等の回動遊技機にも適用可能である。
【図面の簡単な説明】
【００３９】
【図１】本発明の実施の形態におけるパチンコ遊技機を示す正面図である。
【図２】（ａ）は本発明の第１の実施の形態に係る遊技機用外枠を示す正面図、（ｂ）はその平面図、（ｃ）はその側面図である。
【図３】本発明の第１の実施の形態に係る遊技機用外枠を示す斜視図である。
【図４】本発明の第１の実施の形態に係る遊技機用外枠の要部を示す斜視図である。
【図５】（ａ）は本発明の第１の実施の形態において右側枠扞にハンドルケースを装着する前の状態を示す断面図、（ｂ）は左側枠扞にハンドルケースを装着した状態を示す断面図である。
【図６】（ａ）は本発明の第２の実施の形態に係る遊技機用外枠を示す側面図、（ｂ）はスペーサ部材を示す側面図である。
【図７】（ａ）は本発明の第２の実施の形態に係る遊技機用外枠にスペーサ部材を装着する前の状態を示す断面図、図７（ｂ）はその外枠にスペーサ部材を装着した状態を示す断面図である。
【図８】（ａ）は本発明の第２の実施の形態に係る遊技機用外枠にスペーサ部材を装着する前の状態を示す断面図、（ｂ）はその外枠にスペーサ部材を装着した状態を示す断面図である。
【図９】本発明の第２の実施の形態におけるスペーサ部材の把持部付係合突部を示す側面図である。
【符号の説明】
【００４０】
１          外枠
２          前枠
５          遊技盤
２１        上側枠杆
２２        下側枠杆
２３        左側枠杆
２４        右側枠杆
３０        ハンドルケース取付部
３１        ハンドルケース収容部
３３        ハンドルケース固定部
３５        ハンドルケース
３６        本体部
４０        爪部
【図１】
2005211417.tif 000003
【図２】
2005211417.tif 000004
【図３】
2005211417.tif 000005
【図４】
2005211417.tif 000006
【図５】
2005211417.tif 000007
【図６】
2005211417.tif 000008
【図７】
2005211417.tif 000009
【図８】
2005211417.tif 000010
【図９】
2005211417.tif 000011